(57)【特許請求の範囲】
【請求項１】
ユニット住宅を構成する住宅ユニットに、接合部を有する竪樋を予め持ち上げ可能に取付けておき、住宅ユニットの建て方作業を行った後に、竪樋を上へ押上げることにより、竪樋と軒樋との間または竪樋どうしを前記接合部で接合することを特徴とする樋の施工方法。
【請求項２】
側壁部に、接合部を有する竪樋を持ち上げ可能に取付けているとともに、
前記竪樋を、側壁部の高さに合わせた長さに分割したことを特徴とする住宅ユニット。
【請求項３】
前記接合部に、漏水防止手段を施したことを特徴とする請求項２に記載の住宅ユニット。
【請求項４】
前記竪樋に、下降防止手段を施したことを特徴とする請求項２又は３に記載の住宅ユニット。
【請求項５】
側壁部に、接合部を有する竪樋を持ち上げ可能に取付けているとともに、
前記竪樋に、下降防止手段を施したことを特徴とする住宅ユニット。
【発明の詳細な説明】
【０００１】
【発明の属する技術分野】
この発明は、作業足場などを用いずに簡単に樋を設置することのできるようにした樋の施工方法および住宅ユニットに関するものである。
【０００２】
【従来の技術】
住宅の屋根に降った雨水は軒樋に集められ、軒樋から住宅の外壁や柱などに固定された竪樋を介して土中に埋設された配水管へ導かれるようになっている。
【０００３】
従来、例えば、竪樋は、作業足場を組み、竪樋を必要長さに加工した上で外壁に固定するようにしていた。
【０００４】
また、特公平７−１０３６５２号公報には、ユニット住宅を構成する住宅ユニットに対し、住宅ユニットの壁または柱に対して予め上端部を伸縮動可能とした伸縮竪樋を取付けておき、壁または柱の建て方作業を行った後に、伸縮竪樋の上端部を引き伸ばして軒樋の落し口に接続することにより竪樋の設置を行う技術が開示されている。
【０００５】
【発明が解決しようとする課題】
しかしながら、作業足場を用いて竪樋を取付ける場合、作業足場を設置するための費用がかかり、コストアップを招くという問題があった。また、作業足場上での作業が長時間におよぶという問題があった。
【０００６】
また、上記伸縮竪樋を用いた場合、伸縮竪樋の上端に近付くために梯子や作業足場が必要になるという問題があり、上記と同様に作業足場を設置するための費用がかかり、コストアップを招くという問題があった。
【０００７】
そこで、本発明の目的は、上記の問題点を解消し、作業足場などを用いずに簡単に樋を設置することのできる樋の施工方法および住宅ユニットを提供することにある。
【０００８】
【課題を解決するための手段】
上記課題を解決するために、請求項１に記載された発明では、ユニット住宅を構成する住宅ユニットに、接合部を有する竪樋を予め持ち上げ可能に取付けておき、住宅ユニットの建て方作業を行った後に、竪樋を上へ押上げることにより、竪樋と軒樋との間または竪樋どうしを前記接合部で接合することを特徴としている。
このように構成された請求項１にかかる発明によれば、前記住宅ユニットに対し、予め竪樋を持ち上げ可能に取付けておき、住宅ユニットの建て方作業を行った後に、竪樋を上昇させることによって竪樋の設置を行い得るようにしたことにより、竪樋の設置に作業足場が不要となり、高所作業をなくすことが可能となる。
【０００９】
請求項２に記載された発明では、側壁部に、接合部を有する竪樋を持ち上げ可能に取付けているとともに、前記竪樋を、側壁部の高さに合わせた長さに分割したことを特徴としている。
【００１０】
このように構成された請求項２にかかる発明によれば、前記住宅ユニットの建て方作業を行った後に、竪樋を上へ押上げることにより、竪樋と軒樋との間または竪樋どうしを接合することができる。
【００１１】
具体的には、前記接合部として、上側被嵌着部分に先細部を形成することにより、上側被嵌着部分に下側嵌着部分を嵌入し易くすることが可能となる。
【００１２】
また、前記接合部として、下側嵌着部分にマス状物を形成することにより、上側被嵌着部分に下側嵌着部分を嵌入し易くすることが可能となる。
【００１３】
更に、接合部として、上側被嵌着部分の外径を下側嵌着部分の内径よりも小さくすることにより、上側被嵌着部分に下側嵌着部分を確実に嵌入することが可能となる。
【００１５】
また、前記住宅ユニットの側壁部の高さに合わせた長さに竪樋を分割したことにより、竪樋を取付けた状態で、住宅ユニットの搬送や組立てを容易に行うことが可能となる。
【００１６】
請求項３に記載された発明では、前記接合部に、漏水防止手段を施したことを特徴としている。
【００１７】
このように構成された請求項３にかかる発明によれば、前記接合部に漏水防止手段を施すことにより、前記接合部からの漏水を防止することが可能となる。
【００１８】
具体的には、漏水防止手段として、接合部にゴム製のパッキンなどの固形シール材を取付けることにより、簡単に接合部からの漏水を防止することが可能となる。また、漏水防止手段として、接合部にゆっくり硬化する接着剤またはシール剤などの防水剤を塗布することにより、簡単に接合部からの漏水を防止することが可能となる。更に、固形シール材と防水剤を併用することにより、一層確実に接合部からの漏水を防止することが可能となる。
【００１９】
また、漏水防止手段として、下側嵌着部分と上側被嵌着部分との嵌入深さを、十分に深くすることにより、下側嵌着部分と上側被嵌着部分とを嵌入するだけで、簡単且つ確実に漏水を防止することが可能となる。
【００２０】
請求項４，５に記載された発明では、前記竪樋に、下降防止手段を施したことを特徴としている。
【００２１】
このように構成された請求項４，５にかかる発明によれば、前記竪樋に下降防止手段を施すことにより、竪樋の位置を固定することが可能となる。
【００２２】
具体的には、下降防止手段として、竪樋の固定具に、上方の一方向にのみ竪樋の移動を許容可能な爪などの返し部を形成することにより、竪樋を押上げてから手を離しても、竪樋が下降して来ないようにすることができ、もって、後作業を容易に行うことができる。
【００２３】
また、下降防止手段として、上方へ押上げた最下部の竪樋と土中に埋設された配水管との間につなぎ管を挿入することにより、竪樋の下降をほぼ完全に防止することができ、竪樋の位置の固定を確実なものとすることが可能となる。
【００２４】
更に、必要に応じ、下降防止手段として、前記固定具と竪樋と接着剤で接着固定することにより、竪樋の位置の固定状態をより確実にすることが可能となる。
【００２５】
また、下降防止手段として、前記固定具の上面へ係止可能な突起部を竪樋に形成することにより、住宅ユニットの搬送中などに竪樋が下降して脱落してしまうことを防止することが可能となる。
【００２６】
【発明の実施の形態１】
以下、本発明の具体的な実施の形態１について、図示例と共に説明する。
【００２７】
図１〜図１２は、この発明の実施の形態１を示すものである。
【００２８】
まず、構成を説明すると、この実施の形態１のものでは、図１に示すように、予め工場で組立てられた住宅ユニット１を、図２に示すように、トラックなどの運搬車２を用いて建築現場へ搬送し、図３に示すように、建築現場へ搬送された住宅ユニット１をクレーン３などの揚重機を用いて配置、および、積み上げることにより、図４に示すようなユニット住宅４を構築するユニット工法の場合について説明する。なお、図４のユニット住宅４では、住宅ユニット１は、上下二段に積み上げられており、上階の住宅ユニット１の上部には、軒樋５を備えた庇ユニット６が載置されている。ここで、住宅ユニット４とは、柱と梁とからほぼ箱形に形成されたもの、ないしは、床パネルと壁パネルとからほぼ箱形に形成されたものを指している。
【００２９】
そして、ユニット住宅４などの住宅では、図４、図５に示すように、屋根に降った雨水は、軒樋５に集められ、軒樋５に予め設けられた軒樋落し口７から住宅の外壁や柱などに固定具８を用いて固定された竪樋９を介して土中に埋設された配水管１０へ導かれるようになっている。
【００３０】
この実施の形態１の場合、予め工場で、住宅ユニット１の壁（側壁部）または柱に対し、前記固定具８を介して、竪樋９を全体として持ち上げ可能で下降不能に取付けておくようにする。
【００３１】
そして、竪樋９の上端と軒樋落し口７との間に、接合部１１を形成する。
【００３２】
また、住宅ユニット１の壁（側壁部）または柱の高さに合わせた長さに竪樋９を分割し、上側竪樋１２の下端と下側竪樋１３の上端との間に上記と同様の接合部１１を形成する。
【００３３】
上記接合部１１として、例えば、図６に示すように、軒樋落し口７および上側竪樋１２の下端などの上側被嵌着部分１４に先細部１５を形成する。この場合、上側竪樋１２の上端および下側竪樋１３の上端などの下側嵌着部分１６には、前記先細部１５を嵌着可能な大きさの受け部１７を形成する。前記先細部１５は、竪樋９の水平断面を矩形状とした場合、対向する二辺にテーパ状の傾斜部を形成すれば良い。前記先細部１５は、竪樋９の水平断面を円形状とした場合には円錐テーパ状とする。また、前記受け部１７は、前記先細部１５が嵌入可能であれば何でも良く、断面をそのままとしたものでも良い。
【００３４】
この際、接合部１１に漏水防止手段１８を施す。漏水防止手段１８として、例えば、図７（ａ）に示すように、接合部１１の上側被嵌着部分１４と下側嵌着部分１６の少なくとも一方にゴム製のパッキンなどの固形シール材１９を取付ける。また、漏水防止手段１８として、図７（ｂ）に示すように、接合部１１の上側被嵌着部分１４と下側嵌着部分１６の少なくとも一方にゆっくり硬化する接着剤またはシール剤などの防水剤２０を塗布しても良い。更に、固形シール材１９と防水剤２０を併用しても良い。
【００３５】
更に、竪樋９に下降防止手段２１を施す。下降防止手段２１としては、例えば、図８（ａ）に示すように、前記固定具８に、上方の一方向にのみ竪樋９の移動を許容可能な爪などの返し部２２を形成する。
【００３６】
また、下降防止手段２１として、図８（ｃ）に示すように、前記固定具８と竪樋９とを接着剤２３で接着固定しても良い。
【００３７】
更に、下降防止手段２１として、図８（ｄ）に示すように、前記固定具８の上面に係止可能な突起部２４を竪樋９に形成しても良い。
【００３８】
また、下降防止手段２１として、図９に示すように、上方へ押上げた最下部の竪樋９ｂと配水管１０との間に介装可能なつなぎ管２５を設ける。なお、このつなぎ管２５の上端には、最下部の竪樋９の下端に対して嵌着可能なジョイントまたはリングなどの嵌着部２６を形成しておく。
【００３９】
なお、下降防止手段２１としての、返し部２２と接着剤２３と突起部２４とつなぎ管２５とは、併用可能である。
【００４０】
次に、この実施の形態１の作用について説明する。
【００４１】
図１に示すように、予め工場で組立てられた住宅ユニット１を、図２に示すように、トラックなどの運搬車２を用いて建築現場へ搬送し、図３に示すように、建築現場へ搬送された住宅ユニット１をクレーン３などの揚重機を用いて配置、および、積み上げることにより、図４に示すようなユニット住宅４を構築する。この際、上階の住宅ユニット１の上部に、軒樋５を備えた庇ユニット６を載置させる。
【００４２】
そして、住宅ユニット１の建て方作業を行った後に、図１０の状態から図１１に示すように、下側竪樋１３を上へ押上げる。すると、下側竪樋１３の上端が上側竪樋１２の下端に嵌着され、次に、下側竪樋１３と一体となった上側竪樋１２の上端が軒樋落し口７に嵌着される。最後に、図１２に示すように、上方へ押上げた最下部の竪樋９と配水管１０との間につなぎ管２５を挿入する。以上により、樋が設置される。
【００４３】
このように、住宅ユニット１の壁または柱に対し、予め工場で、固定具８に、竪樋９を全体として持ち上げ可能で下降不能に取付けておき、住宅ユニット１の建て方作業を行った後に、竪樋９全体を上昇させることによって竪樋９の設置を行い得るようにしたことにより、竪樋９の設置に作業足場が不要となり、高所作業をなくすことが可能となる。
【００４４】
この際、住宅ユニット１の壁または柱の高さに合わせた長さに竪樋９を分割したことにより、竪樋９を取付けた状態で、住宅ユニット１の搬送や組立てを容易に行うことが可能となる。
【００４５】
また、接合部１１として、例えば、軒樋落し口７および上側竪樋１２の下端などの上側被嵌着部分１４に先細部１５を形成し、上側竪樋１２の上端および下側竪樋１３の上端などの下側嵌着部分１６は、前記先細部１５を嵌着可能な大きさの受け部１７を形成することにより、上側被嵌着部分１４に下側嵌着部分１６を嵌入し易くすることが可能となる。
【００４６】
更に、接合部１１に漏水防止手段１８を施すことにより、接合部１１からの漏水を防止することが可能となる。特に、漏水防止手段１８として、例えば、図７（ａ）に示すように、接合部１１の上下の少なくとも一方にゴム製のパッキンなどの固形シール材１９を取付けることにより、簡単に接合部１１からの漏水を防止することが可能となる。また、漏水防止手段１８として、図７（ｂ）に示すように、接合部１１の上側被嵌着部分１４と下側嵌着部分１６の少なくとも一方にゆっくり硬化する接着剤またはシール剤などの防水剤２０を塗布することにより、簡単に接合部１１からの漏水を防止することが可能となる。更に、固形シール材１９と防水剤２０を併用することにより、一層確実に接合部１１からの漏水を防止することが可能となる。
【００４７】
更に、竪樋９に下降防止手段２１を施すことにより、竪樋９の位置を固定することが可能となる。特に、下降防止手段２１として前記固定具８に、上方の一方向にのみ竪樋９の移動を許容可能な爪などの返し部２２を形成することにより、竪樋９を押上げてから手を離しても、竪樋９が下降して来ないようにすることができ、もって、後作業を容易に行うことができる。
【００４８】
また、下降防止手段２１として、上方へ押上げた最下部の竪樋９と配水管１０との間につなぎ管２５を挿入することにより、竪樋９の下降をほぼ完全に防止することができ、竪樋９の位置の固定を確実なものとすることが可能となる。なお、このつなぎ管２５の上端に、最下部の竪樋９の下端に対して嵌着可能なジョイントまたはリングなどの接合部１１を形成しておくことにより、簡単に最下部の竪樋９の下端につなぎ管２５を位置決めおよび接合することができる。
【００４９】
更に、必要に応じ、下降防止手段２１として、前記固定具８と竪樋９とを接着固定することにより、竪樋９の位置の固定状態をより確実にすることが可能となる。
【００５０】
また、下降防止手段２１として、前記固定具８の上面へ係止可能な突起部２４を竪樋９に形成することにより、住宅ユニット１の搬送中などに竪樋９が下降して脱落してしまうことを防止することが可能となる。なお、竪樋９の押上げ後には、突起部２４は、固定具８の上面から離れることとなる。
【００５１】
【変形例】
図１３は、この実施の形態１の第１の変形例を示すものであり、接合部１１として、下側嵌着部分１６に角マスなどのマス状物２７を形成したものである。この場合、上側被嵌着部分１４には、前記マス状物２７へ嵌入可能な大きさの被挿入部２８を形成する。該被挿入部２８は、マス状物２７へ嵌入可能であれば何でも良く、図１３（ａ）に示すように、断面をそのままとしたものでも、図１３（ｂ）に示すように、先細部１５としても良い。
【００５２】
このように、下側嵌着部分１６にマス状物２７を形成し、上側被嵌着部分１４に前記マス状物２７へ嵌入可能な大きさの被挿入部２８を形成することにより、上側被嵌着部分１４に下側嵌着部分１６を嵌入し易くすることが可能となる。
【００５３】
図１４は、この実施の形態１の第２の変形例を示すものであり、接合部１１として、上側被嵌着部分１４の外径ｄを下側嵌着部分１６の内径Ｄよりも小さくしたものである（Ｄ＞ｄ）。
【００５４】
このように、上側被嵌着部分１４の外径ｄを下側嵌着部分１６の内径Ｄよりも小さくしても、上側被嵌着部分１４に下側嵌着部分１６を確実に嵌入することが可能となる。
【００５５】
図１５、図１６は、この実施の形態１の第３の変形例を示すものであり、漏水防止手段１８として、下側嵌着部分１６と上側被嵌着部分１４との嵌入深さ２９を、十分に深くしたものである。この嵌入深さ２９は、例えば、竪樋９の径寸法程度以上とすれば良い。なお、図１５は図１３のものに適用した場合を示し、図１６は図１４のものに適用した場合を示している。
【００５６】
このように、漏水防止手段１８として、下側嵌着部分１６と上側被嵌着部分１４との嵌入深さ２９を、竪樋９の径寸法程度以上の大きさとすることにより、下側嵌着部分１６と上側被嵌着部分１４とを嵌入するだけで、簡単且つ確実に漏水を防止することが可能となる。
【００５７】
【発明の効果】
以上説明してきたように、請求項１の発明によれば、住宅ユニットに対し、予め竪樋を持ち上げ可能に取付けておき、住宅ユニットの建て方作業を行った後に、竪樋を上昇させることによって竪樋の設置を行い得るようにしたことにより、竪樋の設置に作業足場が不要となり、高所作業をなくすことが可能となる。
【００５８】
請求項２の発明によれば、住宅ユニットの建て方作業を行った後に、竪樋を上へ押上げることにより、竪樋と軒樋との間または竪樋どうしを接合することができる。
【００５９】
また、住宅ユニットの側壁部の高さに合わせた長さに竪樋を分割したことにより、竪樋を取付けた状態で、住宅ユニットの搬送や組立てを容易に行うことが可能となる。
【００６０】
請求項３の発明によれば、接合部に漏水防止手段を施すことにより、前記接合部からの漏水を防止することが可能となる。
【００６１】
請求項４，５の発明によれば、竪樋に下降防止手段を施すことにより、竪樋の位置を固定することが可能となる、という実用上有益な効果を発揮し得る。
【図面の簡単な説明】
【図１】本発明の実施の形態１にかかる住宅ユニットの斜視図である。
【図２】図１の住宅ユニットの搬送状態を示す斜視図である。
【図３】図１の住宅ユニットの組立て状態を示す斜視図である。
【図４】図１の住宅ユニットを組立てて構築されたユニット住宅の部分側面図である。
【図５】図４の部分拡大図である。
【図６】竪樋間の嵌着部を示す側面図である。
【図７】竪樋に施された漏水防止手段を示す側面図である。
【図８】（ａ）（ｂ）（ｃ）は竪樋の下降防止手段を示す部分拡大側面図である。
【図９】竪樋の下降防止手段をとしてのつなぎ管を示す部分拡大側面図である。
【図１０】樋の組立て状態を示す側面図である。
【図１１】図１０に続く樋の組立て状態を示す側面図である。
【図１２】図１１に続く樋の組立て状態を示す側面図である。
【図１３】（ａ）（ｂ）は実施の形態１の第１の変形例にかかる竪樋間の嵌着部を示す側面図である。
【図１４】実施の形態１の第２の変形例にかかる竪樋間の嵌着部を示す側面図である。
【図１５】実施の形態１の第３の変形例にかかる漏水防止手段の図１３のものに適用した場合を示す側面図である。
【図１６】実施の形態１の第３の変形例にかかる漏水防止手段の図１４のものに適用した場合を示す側面図である。
【符号の説明】
１    住宅ユニット
４    ユニット住宅
５    軒樋
９    竪樋
１１  接合部
１８  漏水防止手段
２１  下降防止手段
【図１】
0004268291.tif 000002
【図２】
0004268291.tif 000003
【図３】
0004268291.tif 000004
【図４】
0004268291.tif 000005
【図５】
0004268291.tif 000006
【図６】
0004268291.tif 000007
【図７】
0004268291.tif 000008
【図８】
0004268291.tif 000009
【図９】
0004268291.tif 000010
【図１０】
0004268291.tif 000011
【図１１】
0004268291.tif 000012
【図１２】
0004268291.tif 000013
【図１３】
0004268291.tif 000014
【図１４】
0004268291.tif 000015
【図１５】
0004268291.tif 000016
【図１６】
0004268291.tif 000017